(57)【特許請求の範囲】
【請求項１】
長手方向に延在する水平状の取付け板部と、該取付け板部の一側縁から上方に立上げられた仕切り板部と、前記取付け板部の他側縁に上方曲成された狭幅状立上がり縁とを備えてなる断面略Ｌ形の長尺状金属薄板の、その取付け板部に、前記仕切り板部と狭幅状立上がり縁間に亘る横幅を備え、かつ前記狭幅状立上がり縁の下端位置に一致する直線状の一辺を備えた孔形状の切欠孔が、取付け板部の長手方向に沿って所定間隔で形成されていることを特徴とする土壌用仕切り材。
【請求項２】
前記仕切り板部の下部に、切欠孔に連続する水抜き孔が形成されていることを特徴とする請求項１記載の土壌用仕切り材。
【請求項３】
前記仕切り板部の上端を折返してなる補強縁が形成されていることを特徴とする請求項１又は請求項２記載の土壌用仕切り材。
【発明の詳細な説明】
【技術分野】
【０００１】
本発明は、植栽領域や舗装領域を仕切って土壌の端部を保持する土壌用仕切り材に関する。
【背景技術】
【０００２】
屋上緑化等でビルの屋上等の人工地盤上において植栽を行う場合に、その植栽領域を仕切ったり、道路，歩道，駐車場等の舗装工事を行う場合に、その舗装領域を仕切るために使用する仕切り材が本願出願人によって既に提案されている（特許文献１参照）。
【０００３】
かかる仕切り材ａは、図１０に示すように、長手方向に延在する水平状の取付け板部ｂと、該取付け板部ｂの一端から垂直状に立上がる仕切り板部ｃとを備えてなる断面Ｌ形の長尺状金属薄板の、その取付け板部ｂに、複数の切欠孔ｄを長手方向に沿って所定間隔で形成し、該取付け板部ｂの切欠孔ｄの外側傍部に生じる狭幅状連結縁ｅを、必要に応じて切断されて前記切欠孔ｄを開放する切断代としている。
【０００４】
この仕切り材ａは、植栽領域や舗装領域の縁部を直線状に施工する場合には、そのまま用いられ、また、曲線状に施工する場合には、取付け板部ｂに設けられた切断代として狭幅状連結縁ｅを切断することにより、図１１（Ａ），（Ｂ）に示すように、仕切り板部ｃを自由に湾曲させることができるようになっている。
【特許文献１】特開２０００−２７３８２２号公報
【発明の開示】
【発明が解決しようとする課題】
【０００５】
ところで、従来構成の仕切り材ａにあっては、図１１（Ａ）に示すように、仕切り板部ｃを取付け板部ｂがある側へ湾曲させる場合、または、図１１（Ｂ）に示すように、仕切り板部ｃを取付け板部ｂがない側へ湾曲させる場合の何れであっても、各切欠孔ｄの外側傍部に設けられた複数の狭幅状連結縁ｅを、施工現場において、金鋸やボルトクリッパ等の工具を用いて逐次切断しなければならないため、作業能率が悪いという問題点があった。
【０００６】
本発明は、かかる問題点を解消するためになされたものであって、仕切り板部を取付け板部がある側へ湾曲させる場合に、切断作業を必要としない土壌用仕切り材を提供することを目的とするものである。
【課題を解決するための手段】
【０００７】
本発明は、長手方向に延在する水平状の取付け板部と、該取付け板部の一側縁から上方に立上げられた仕切り板部と、前記取付け板部の他側縁に上方曲成された狭幅状立上がり縁とを備えてなる断面略Ｌ形の長尺状金属薄板の、その取付け板部に、前記仕切り板部と狭幅状立上がり縁間に亘る横幅を備え、かつ前記狭幅状立上がり縁の下端位置に一致する直線状の一辺を備えた孔形状の切欠孔が、取付け板部の長手方向に沿って所定間隔で形成されていることを特徴とする土壌用仕切り材である。
【０００８】
かかる構成にあって、取付け板部には、その長手方向に沿って固定杆挿通用の複数の透孔を形成してもよい。ここで、土壌用仕切り材を植栽領域の縁部となる人工地盤上に固定する場合には、取付け板部に形成した複数の透孔に固定杆としてのタッピング螺子を上方から夫々挿通させ、該タッピング螺子の先端側を人工地盤に埋入したプラグに螺合させて固定する固定手段や、取付け板部の下面を両面テープによって人工地盤上の防水層に接合して固定する固定手段が適用可能であり、このように両面テープを用いる場合には、取付け板部の透孔は不要となる。また、土壌用仕切り材を舗装領域の縁部となる地盤上に固定する場合には、取付け板部の各透孔に挿通したアンカーを地盤に打ち込んで固定する固定手段が適用される。
【０００９】
この土壌用仕切り材にあって、仕切り板部の下部に、切欠孔に連続する水抜き孔が形成されている構成が提案される。
【００１０】
また、仕切り板部の上端を折返してなる補強縁が形成されている構成が提案される。
【発明の効果】
【００１１】
本発明は、上述したように、長手方向に延在する水平状の取付け板部と、該取付け板部の一側縁から上方に立上げられた仕切り板部と、前記取付け板部の他側縁に上方曲成された狭幅状立上がり縁とを備えてなる断面略Ｌ形の長尺状金属薄板の、その取付け板部に、前記仕切り板部と狭幅状立上がり縁間に亘る横幅を備え、かつ前記狭幅状立上がり縁の下端位置に一致する直線状の一辺を備えた孔形状の切欠孔が、取付け板部の長手方向に沿って所定間隔で形成されている土壌用仕切り材であるから、仕切り板部を取付け板部がある側へ湾曲させる場合に、各切欠孔の上部に位置する狭幅状立上がり縁の外側面部分を指で加圧して切欠孔内に若干押し込む予備曲げを施した後、仕切り板部を両手で持って取付け板部がある側へ湾曲させるように加圧すると、狭幅状立上がり縁が各切欠孔内で略Ｖ形に屈曲して、仕切り板部を所望の曲線形状に簡単に湾曲させることができる。ここで、切欠孔の直線状の一辺が狭幅状立上がり縁の下端位置に一致していることにより、人力による加圧に際して、取付け板部の抵抗を受けることなく、狭幅状立上がり縁をその厚み方向へ略Ｖ形に屈曲させることができ、この狭幅状立上がり縁の厚み方向への略Ｖ形の屈曲変形によって、仕切り板部に局所的な折れ曲がりが生じることなく該仕切り板部を均一に湾曲成形することができる。また、土壌用仕切り材が金属製であることにより、仕切り板部自体の塑性変形による形状保持作用に加えて、略Ｖ形に屈曲した狭幅状立上がり縁の塑性変形による形状保持作用によって、仕切り板部の湾曲状態の保持がより強固なものとなる。そして、このように人力による加圧操作のみで仕切り板部を取付け板部がある側へ湾曲させ得るので、切断作業が不要であり、作業能率が向上する。
【００１２】
前記土壌用仕切り材にあって、仕切り板部の下部に、切欠孔に連続する水抜き孔が形成されている構成にあっては、取付け板部に形成される切欠孔の金型による打ち抜き加工時に、同じ金型で水抜き孔も同時に形成し得るので加工性がよく、また、土壌用仕切り材によって植栽領域を仕切った場合に、植栽領域に敷設するマット状の人工土壌に含浸される雨水等の余剰水を水抜き孔によって自然排水させることができる。
【００１３】
また、仕切り板部の上端を折返してなる補強縁が形成されている構成にあっては、該補強縁によって仕切り板部の強度を高めることができるとともに、仕切り板部の湾曲操作時において、加えた力が補強縁によって分散され、局所的に仕切り板部が折れ曲がることなく、全体を均一に湾曲させることができる。また、安全性が向上し、仕切り板部の上端で手を切るような不具合を防止することができる。
【発明を実施するための最良の形態】
【００１４】
本発明にかかる土壌用仕切り材１は、図２，図３に示すように、長手方向に延在する水平状の取付け板部２と、該取付け板部２の一側縁から上方に立上がる仕切り板部３と、前記取付け板部２の他側縁に上方曲成した狭幅状立上がり縁４とを備えてなる断面略Ｌ形の長尺状金属薄板５の、その取付け板部２に、前記仕切り板部３と狭幅状立上がり縁４間に亘る横幅を備え、かつ前記狭幅状立上がり縁４の下端位置に一致する直線状の一辺を備えた孔形状の切欠孔６を、取付け板部２の長手方向に沿って所定間隔で形成したことを特徴としている。
【００１５】
以下に、上記土壌用仕切り材１の具体的な一実施例を、図１〜図８に基づいて説明する。
長尺状金属薄板５は、長尺な帯板状の金属薄板を断面略Ｌ形に折曲したものである。この長尺状金属薄板５の素材としては、長さ2025mm程度，幅 270mm程度，厚さ 1.2mm程度のステンレス，スチール等の鋼板が好適に使用され得る。この長尺状金属薄板５は、長手方向に延在する水平状の取付け板部２と、該取付け板部２の一側縁から上方に立上がる仕切り板部３と、前記取付け板部２の他側縁に上方曲成した狭幅状立上がり縁４とを備えており、取付け板部２には、複数の切欠孔６が長手方向に沿って所定間隔で形成されている。
【００１６】
前記各切欠孔６は、矩形状に形成されており、その直線状の一辺が狭幅状立上がり縁４の下端位置に一致するように配設されている。また、この一辺に対向する他の直線状の一辺は仕切り板部３の下端から若干上方に上がった位置に配設されており、これにより生じる仕切り板部３の下部の開口を、切欠孔６に連続する水抜き孔７（図３参照）としている。また、取付け板部２には、各切欠孔６間に位置させて後述する固定杆９を挿通するための透孔８が夫々形成されている。さらに、前記仕切り板部３には、ヘミング曲げ加工によりその上端を折返してなる補強縁１０（図５参照）が形成されている。該補強縁１０により、仕切り板部３の強度を向上させ、その堅牢性をさらに高めることができるとともに、安全性を向上させ、仕切り板部３の上端で手を切るような不具合を防止し得るようにしている。
【００１７】
このような構成からなる土壌用仕切り材１を製造するには、図４に示すように、素材としての帯板状の金属薄板１４の取付け板部２となる一側縁寄りの所定領域部分に、プレス装置による打ち抜き加工によって複数の切欠孔６と透孔８を形成し、次に金属薄板１４の他側縁の端部を仮想折曲線１５で、プレス装置によるヘミング曲げ加工によって折返して補強縁１０を形成する。この後、金属薄板１４の一側縁を、切欠孔６の外側の一辺に一致する位置の仮想折曲線１６で、プレス装置によるＬ曲げ加工によって略直角に折曲して狭幅状立上がり縁４を形成し、次いで、金属薄板１４の幅方向の略中間部を、切欠孔６の内側の一辺より若干外側寄りの位置の仮想折曲線１７で、プレス装置によるＬ曲げ加工によって狭幅状立上がり縁４と同方向へ略直角に折曲して仕切り板部３を形成する。これにより、前記土壌用仕切り材１を簡単に製造することができる。
【００１８】
図５，図６は、かかる構成からなる土壌用仕切り材１を用いた、屋上等の人工地盤Ｇ上における植栽Ｓの施工状態を示す。このような施工を行うには、まず、植栽領域の縁部に沿って土壌用仕切り材１を固定手段を介して固定する。この固定手段は、図５に示すように、取付け板部２の透孔８に挿通されるタッピング螺子からなる固定杆９と、人工地盤Ｇに埋入したプラグ１２とからなり、該プラグ１２は、取付け板部２の透孔８に一致する所定間隔で人工地盤Ｇに埋入される。そして、取付け板部２の透孔８に挿通した固定杆９の先端側を、プラグ１２に螺合させて緊締することにより、取付け板部２を人工地盤Ｇに固定するようにしている。ここで、取付け板部２は、植栽領域の内側に位置するように配置される。また、図６に示すように、人工地盤Ｇ上に防水層Ｂが敷設されている場合には、前記プラグ１２によって防水層Ｂに孔を開けると防水作用が損なわれるため、取付け板部２の下面を両面テープ１３によって人工地盤Ｇ上の防水層Ｂに接合して固定する固定手段が適用される。これにより、土壌用仕切り材１の仕切り板部３が植栽領域の縁部に沿って立設され、該仕切り板部３によって植栽領域の縁部を仕切ることができる。そして、このように設置した土壌用仕切り材１の内側に、マット状に成形された人工土壌Ｍを敷設することにより、該人工土壌Ｍの端部を仕切り板部３によって保持することができる。また、仕切り板部３の下部に水抜き孔７（図６参照）が形成されていることにより、該水抜き孔７によって人工土壌Ｍに含浸される雨水等の余剰水を自然排水させることができる。
【００１９】
上記のような施工において、植栽領域の縁部を直線状に仕切る場合には、土壌用仕切り材１が直線状のままで用いられる。また、植栽領域の縁部を曲線状に仕切る場合には、土壌用仕切り材１の仕切り板部３を湾曲させて用いられる。この湾曲操作にあって、仕切り板部３を取付け板部２がある側へ湾曲させる場合に、各切欠孔６の一辺の上部に位置する狭幅状立上がり縁４の外側面部分を指で加圧して各切欠孔６内に若干押し込む予備曲げを施した後、仕切り板部３を両手で持って取付け板部２がある側へ湾曲させるように加圧すると、図７，図８に示すように、狭幅状立上がり縁４が各切欠孔６内で略Ｖ形に屈曲することにより、仕切り板部３を所望の曲線形状に簡単に湾曲させることができる。ここで、切欠孔６が仕切り板部３と狭幅状立上がり縁４間に亘る横幅を備え、かつ、その直線状の一辺が狭幅状立上がり縁４の下端位置に一致していることにより、人力による加圧に際して、取付け板部２の抵抗を受けることなく、狭幅状立上がり縁４をその厚み方向へ略Ｖ形に屈曲させることができ、この狭幅状立上がり縁４の厚み方向への略Ｖ形の屈曲変形によって、仕切り板部３に局所的な折れ曲がりが生じることなく該仕切り板部３を均一に湾曲成形することができる。また、土壌用仕切り材１が金属製であることにより、仕切り板部３自体の塑性変形による形状保持作用に加えて、略Ｖ形に屈曲した狭幅状立上がり縁４の塑性変形による形状保持作用によって、仕切り板部３の湾曲状態の保持がより強固なものとなる。そして、このように人力による加圧操作のみで仕切り板部３を取付け板部２がある側へ湾曲させ得るので、切断作業が不要であり、作業能率が向上する。
【００２０】
尚、仕切り板部３を取付け板部２がない側へ湾曲させる場合には、各切欠孔６の上部に位置する狭幅状立上がり縁４を工具を用いて切断することにより、取付け板部２がない側への仕切り板部３の湾曲操作が可能となる。しかしながら、植栽の施工においては、湾曲させた土壌用仕切り材１を用いて植栽領域を円形に仕切ったり、植栽領域のコーナー部をＲ状に仕切る場合が殆どであり、このような施工には、仕切り板部３を取付け板部２がある側へ湾曲させて使用するため、上記のような狭幅状立上がり縁４の切断作業が必要となることは殆どない。
【００２１】
また、上記実施例では、取付け板部２に矩形状の切欠孔６を形成した例を示したが、該切欠孔６は、仕切り板部３と狭幅状立上がり縁４間に亘る横幅を備え、かつ狭幅状立上がり縁４の下端位置に一致する直線状の一辺を備えた孔形状であればよい。図９（Ａ），（Ｂ）は、他の形状の切欠孔６を示し、図９（Ａ）では、切欠孔６が略三角形に形成されており、図９（Ｂ）では、切欠孔６が略半楕円形に形成されている。このような形状の切欠孔６を、仕切り板部３と狭幅状立上がり縁４間に亘る横幅で、その直線状の一辺を狭幅状立上がり縁４の下端位置に一致させて配設することにより、狭幅状立上がり縁４を切断することなく、取付け板部２の抵抗を受けずに、仕切り板部３を取付け板部２がある側へ容易に湾曲させることができる。
【００２２】
また、上記実施例では、土壌用仕切り材１を用いて植栽領域を仕切る場合について説明したが、本発明にかかる土壌用仕切り材１は、透孔８に挿通されるアンカーからなる固定杆を地盤に打ち込んで固定することにより、道路，歩道，駐車場等の舗装工事において、その舗装領域を仕切る場合にも使用可能である。
【図面の簡単な説明】
【００２３】
【図１】本発明に係る土壌用仕切り材１の全体平面図である。
【図２】同上の土壌用仕切り材１の部分拡大平面図である。
【図３】同上の土壌用仕切り材１の部分拡大斜視図である。
【図４】同上の土壌用仕切り材１の製造時における加工方法を示す平面図である。
【図５】固定杆９とプラグ１２とからなる固定手段を用いた施工状態の側断面図である。
【図６】両面テープ１３からなる固定手段を用いた施工状態の側断面図である。
【図７】土壌用仕切り材１を湾曲させた状態を示す斜視図である。
【図８】土壌用仕切り材１を湾曲させた状態を示す平面図である。
【図９】他の形状の切欠孔６を備えた土壌用仕切り材１の平面図である。
【図１０】従来構成の仕切り材ａの斜視図である。
【図１１】従来構成の仕切り材ａを湾曲させた状態を示す平面図である。
【符号の説明】
【００２４】
１  土壌用仕切り材
２  取付け板部
３  仕切り板部
４  狭幅状立上がり縁
５  長尺状金属薄板
６  切欠孔
７  水抜き孔
１０  補強縁
【図１】
0004691535.tif 000002
【図２】
0004691535.tif 000003
【図３】
0004691535.tif 000004
【図４】
0004691535.tif 000005
【図５】
0004691535.tif 000006
【図６】
0004691535.tif 000007
【図７】
0004691535.tif 000008
【図８】
0004691535.tif 000009
【図９】
0004691535.tif 000010
【図１０】
0004691535.tif 000011
【図１１】
0004691535.tif 000012